(57)【要約】【課題】或る程度の情報量を有する操作マニュアルを使用勝手や見栄えの低下を招くことなく設置することができるとともに、設置場所の制約や外観性の低下を招くことなく増設用メモリを操作性良く着脱することができる画像形成装置を提供すること。【解決手段】筐体２の一側面に形成された開口部８を開閉する開閉部材９を設け、該開閉部材９の内側に、操作に最低限必要な操作マニュアル１１を収納可能な収納部１２を設ける。又、筐体２内の前記開口部８の奥に、メモリ増設可能なコントローラ基板を設ける。更に、開閉部材９は、開放時に第１及び第２の角度位置で静止可能であって、第１の角度位置においてその内側に設けられた収納部１２に対する操作マニュアル１１の出し入れを可能とし、第２の角度位置において更に開いてコントローラ基板に対する増設用メモリの着脱を可能とする。【選択図】図２
2010152039.tif 000002
【特許請求の範囲】
【請求項１】
筐体の一側面に形成された開口部を開閉する開閉部材を設け、該開閉部材の内側に、操作に最低限必要な操作マニュアルを収納可能な収納部を設けたことを特徴とする画像形成装置。
【請求項２】
前記筐体内の前記開口部の奥に、メモリ増設可能なコントローラ基板を備えたことを特徴とする請求項１記載の画像形成装置。
【請求項３】
前記開閉部材は、開放時に第１及び第２の角度位置で静止可能であって、第１の角度位置においてその内側に設けられた前記収納部に対する前記操作マニュアルの出し入れを可能とし、第２の角度位置において更に開いて前記コントローラ基板に対する増設用メモリの着脱を可能とすることを特徴とする請求項２記載の画像形成装置。
【発明の詳細な説明】
【技術分野】
【０００１】
本発明は、電子写真プロセスを経て用紙に画像を形成する複写機やプリンタ等の画像形成装置に関するものである。
【背景技術】
【０００２】
電子写真方式によって用紙に画像を形成する複写機やプリンタ等の画像形成装置、特に複写機能とプリント機能及びファクシミリ機能を兼備した複合機（ＭＦＰ）においては、その多機能化に伴って操作が複雑化し、操作マニュアルへの記載量は膨大となっている。このため、使用頻度が高いと思われる機能に限定して、その操作内容を記載した簡易版の操作マニュアル（クイックマニュアル）が操作中にユーザーの手の届く場所にあれば、操作を中断する時間を極力短縮することができて便利である。
【０００３】
従来、操作マニュアルの収納箇所に関しては種々の提案がなされている。
【０００４】
例えば、特許文献１には、装置本体に取り付けられた固定パネルに対して開閉パネルを開閉自在に設け、この開閉パネルの裏面側にオペレーション・ガイドを添付する構成が提案されている。
【０００５】
又、特許文献２には、比較的大型の機器にオプション的に装備される周辺機器の高さ調整台に操作マニュアルを収納するための凹部を設ける構成が提案されている。
【０００６】
更に、特許文献３には、操作マニュアル入れを、複写機本体に取り付けるベース板部と、操作マニュアル等を入れる空間を形成する収容板部との合成樹脂等の一体成形品として構成する提案がなされている。
【特許文献１】特開平３−１５８９１７号公報
【特許文献２】特開２００２−２４４３７６号公報
【特許文献３】特開２００４−０８５８４７号公報
【発明の開示】
【発明が解決しようとする課題】
【０００７】
ところが、特許文献１に記載された構成では、基本的に情報を記載する面積に限界があり、記載内容は操作キーに関する説明に限定されてしまう。
【０００８】
又、特許文献２に記載された構成では、操作マニュアルの収納箇所が凹部であるため、通常の機器使用時には操作マニュアルが絶えず外部に露出しており、見栄えが悪くなるばかりか、操作マニュアル自体が汚れ易くなるという問題がある。
【０００９】
更に、特許文献３に記載された構成では、操作マニュアル入れが合成樹脂等の一体成形品として構成されるため、この操作マニュアル入れが機器の前側に突出し、見栄えと使用勝手の点で問題がある。
【００１０】
従って、本発明の第１の目的とする処は、或る程度の情報量を有する操作マニュアルを使用勝手や見栄えの低下を招くことなく設置することができる画像形成装置を提供することにある。
【００１１】
他方、画像形成装置においては、処理データの容量拡大のためにコントローラ基板上に増設用メモリを後付けで挿入する場合があるが、このような場合に市場で対応可能とするために外装に別部材を設け、この別部材を開放状態とした後に増設用モメリの挿入作業ができるような構成が採用されている。
【００１２】
ところが、上記構成を採用すると、開閉する箇所が増えて装置の設置場所に制約を受けるばかりか、別部品が増えることによって外装の割ラインが増えて見栄えも劣る結果となる。
【００１３】
従って、本発明の第２の目的とする処は、設置場所の制約や外観性の低下を招くことなく増設用メモリを操作性良く着脱することができる画像形成装置を提供することにある。
【課題を解決するための手段】
【００１４】
上記目的を達成するため、請求項１記載の発明は、筐体の一側面に形成された開口部を開閉する開閉部材を設け、該開閉部材の内側に、操作に最低限必要な操作マニュアルを収納可能な収納部を設けたことを特徴とする。
【００１５】
請求項２記載の発明は、請求項１記載の発明において、前記筐体内の前記開口部の奥に、メモリ増設可能なコントローラ基板を備えたことを特徴とする。
【００１６】
請求項３記載の発明は、請求項２記載の発明において、前記開閉部材は、開放時に第１及び第２の角度位置で静止可能であって、第１の角度位置においてその内側に設けられた前記収納部に対する前記操作マニュアルの出し入れを可能とし、第２の角度位置において更に開いて前記コントローラ基板に対する増設用メモリの着脱を可能とすることを特徴とする。
【発明の効果】
【００１７】
請求項１記載の発明によれば、操作に最低限必要な操作マニュアルを筐体の一側面に開閉可能に設けられた開閉部材の内側の収納部に完全に収納し、開閉部材を閉じれば、装置の通常使用時に操作マニュアルが外部に露出することがないため、或る程度の情報量を有する操作マニュアルを使用勝手や見栄えの低下を招くことなく設置することができ、必要な場合は開閉部材を開けて操作マニュアルを取り出して便利に使用することができる。
【００１８】
請求項２記載の発明によれば、メモリ増設可能なコントローラ基板を筐体内の開口部の奥に設けたため、操作マニュアルを収納するための開閉部材をメモリ増設時に開口部を開放するためにも利用することができ、開閉部材を筐体の一側部にのみ設ければ済む。このため、部品点数が削減されてコストダウンが図られるとともに、装置の設置場所の制約や外観性の低下を招くことなく増設用メモリを操作性良く着脱することができる。
【００１９】
請求項３記載の発明によれば、ユーザーの使用目的に応じて開閉部材を第１の角度位置まで開いて操作マニュアルを出し入れすることができ、又、開閉部材を第２の角度位置まで大きく開いて開口部を開放し、この開口部から増設用メモリをコントローラ基板に対して作業性良く着脱することができる。
【発明を実施するための最良の形態】
【００２０】
以下に本発明の実施の形態を添付図面に基づいて説明する。
【００２１】
図１は本発明に係る画像形成装置の斜視図、図２は同画像形成装置の開閉部材を第１の静止位置まで開いた状態を示す斜視図、図３は同画像形成装置の開閉部材を第２の静止位置まで開いた状態を示す斜視図である。
【００２２】
本実施の形態に係る画像形成装置１は、複写機能とプリント機能を兼備した小型の複合機であって、その矩形ボックス状の筐体２の内部には像担持体である感光ドラムや帯電器、現像装置、転写装置、定着装置、クリーラニング装置等の不図示のプロセス機器が内蔵されている。そして、筐体２の上部には、手前に向かって開口する凹状の空間が形成され、この空間に排紙トレイ３が設けられている。尚、排紙トレイ３には、筐体２内の不図示のプロセス機器から成る画像形成部において画像が形成された用紙が奥側から手前側に向かって排出されて積載される。
【００２３】
又、筐体２の前面には、開閉可能な前カバー４がその下端部を中心として回動可能に軸支されて設けられており、該前カバー４の下方には、手前側に引き出すことができる給紙カセット５が装填されている。尚、図示しないが、給紙カセット５には複数枚の用紙が積層されて収容されている。
【００２４】
更に、筐体２上部の前記排紙トレイ３の上方には画像読取装置６が設けられており、その前方には操作表示部７が設けられている。
【００２５】
ところで、本実施の形態に係る画像形成装置１の筐体２の右側面下部には、図２及び図３に示すように、矩形の開口部８が形成されており、この開口部８は、下端部を中心として上下に回動可能に軸支された矩形プレート状の開閉部材９によって開閉される。そして、筐体２内の開口部８の奥には、メモリ増設可能な不図示のコントローラ基板が内蔵されており、図３に示すように、開口部８には不図示の増設メモリを挿入するための挿入口１０が開口している。尚、メモリ増設可能なコントローラ基板としては、ＳＤカードスロット等のメモリカードスロット等が考えられる。
【００２６】
又、図２及び図３に示すように、開閉部材９の内側には、画像形成装置１の操作に最低限必要な操作マニュアル１１を収納するための収納部１２が設けられている。
【００２７】
而して、本実施の形態では、開閉部材９は、開放時に図２に示す第１の角度位置及び図３に示す第２の角度位置で静止可能であって、図２に示す第１の角度位置は、この位置まで回動して静止した開閉部材９の内側に設けられた収納部１２に対してユーザーが操作マニュアル１１を出し入れすることができる位置に設定されている。又、図３に示す第２の角度位置は、図２に示す第１の角度位置から更に開閉部材を開くことができる位置であって、開閉部材９の開き角度は、開閉部材９の内側に形成された収納部１２に収納された操作マニュアル１１が落下せず、且つ、不図示の増設メモリを開口部８から出し入れすることができる値に設定されている。
【００２８】
尚、開閉部材９を第１及び第２の角度位置において静止させる機構としては、第１の角度位置において開閉部材９の回動支点付近に突起形状を設け、開閉部材９が第１の角度位置まで開くと突起形状が開閉部材９に係合して該開閉部材９を第１の角度位置で静止させ、この第１の角度位置において静止している開閉部材９に或る程度以上の力を加えると該開閉部材９と突起形状との係合が解除されて開閉部材９を更に開くことができ、開閉部材９が第２の角度位置まで回動すると該開閉部材９がストッパに当接してそれ以上の回動が阻止されるような機構が考えられる。
【００２９】
以上のように、本実施の形態に係る画像形成装置１においては、操作に最低限必要な操作マニュアルを筐体２の一側面に開閉可能に設けられた開閉部材９の内側の収納部１２に完全に収納し、図１に示すように開閉部材９を閉じれば、画像形成装置１の通常使用時に操作マニュアル１１が外部に露出することがないため、或る程度の情報量を有する操作マニュアル１１を使用勝手や見栄えの低下を招くことなく設置することができ、必要な場合は開閉部材９を図２に示す第１の角度位置まで開けて操作マニュアル１１を取り出して便利に使用することができる。
【００３０】
又、本実施の形態では、メモリ増設可能な不図示のコントローラ基板を筐体２内の開口部８の奥に設けたため、このコントローラ基板に増設メモリを装着する場合には、図３に示すように開閉部材９を第２の角度位置まで大きく開き、開口部８に開口する挿入口１０から増設メモリを筐体２内に挿入してコントローラ基板に装着することができる。このため、操作マニュアル１１を収納するための開閉部材９をメモリ増設時に開口部８を開放するためにも利用することができ、開閉部材９を筐体２の一側部（本実施の形態では右側部）にのみ設ければ済む。この結果、部品点数が削減されてコストダウンが図られるとともに、画像形成装置１の設置場所の制約や外観性の低下を招くことなく増設用メモリを操作性良く着脱することができる。
【００３１】
更に、本実施の形態によれば、ユーザーの使用目的に応じて開閉部材９を第１の角度位置まで開いて操作マニュアル１１を出し入れすることができ、又、開閉部材９を第２の静止位置まで大きく開いて開口部８を開放し、この開口部８から増設用メモリをコントローラ基板に対して作業性良く着脱することができる。
【００３２】
尚、以上は本発明を複写機能とプリント機能を兼備した複合機に対して適用した形態について説明したが、本発明は、複写機単体、プリンタ単体、ファクシミリ単体或はこれらを複合した複合機に対しても同様に適用可能であることは勿論である。
【図面の簡単な説明】
【００３３】
【図１】本発明に係る画像形成装置の斜視図である。
【図２】本発明に係る画像形成装置の開閉部材を第１の静止位置まで開いた状態を示す斜視図である。
【図３】本発明に係る画像形成装置の開閉部材を第２の静止位置まで開いた状態を示す斜視図である。
【符号の説明】
【００３４】
１      画像形成装置
２      筐体
３      排紙トレイ
４      前カバー
５      給紙カセット
６      画像読取装置
７      操作表示部
８      筐体の開口部
９      開閉部材
１０    筐体の挿入口
１１    操作マニュアル
１２    開閉部材の収納部
【図１】
2010152039.tif 000003
【図２】
2010152039.tif 000004
【図３】
2010152039.tif 000005
【手続補正書】
【提出日】平成21年1月6日(2009.1.6)
【手続補正１】
【補正対象書類名】明細書
【補正対象項目名】００２５
【補正方法】変更
【補正の内容】
【００２５】
ところで、本実施の形態に係る画像形成装置１の筐体２の右側面下部には、図２及び図３に示すように、矩形の開口部８が形成されており、この開口部８は、下端部を中心として上下に回動可能に軸支された矩形プレート状の開閉部材９によって開閉される。そして、筐体２内の開口部８の奥には、メモリ増設可能な不図示のコントローラ基板が内蔵されており、図３に示すように、開口部８には不図示の増設メモリやＳＤカード等の電子部品を装着可能な挿入口（インターフェース部やメモリカードスロット）１０が開口している。